(57)【要約】【課題】ロッド挟持片が外側に拡がることを防止し、脊椎骨矯正ロッドを保持する保持力を高めることを目的とする。【解決手段】先端側に骨埋入用の螺子部１を、後端側に脊椎骨矯正ロッドを保持するための相対する一対のロッド挟持片２を、それぞれ設けてなる保持具本体の前記一対のロッド挟持片２間に止め螺子３を設置し、該止め螺子３を締め付けることにより前記一対のロッド挟持片２間に挿入した、前記脊椎骨矯正ロッドＲを保持する脊椎骨矯正ロッド保持具であって、前記止め螺子３の螺子山３ａの根元部分にアンダーカット３ｂを形成するとともに、前記ロッド挟持片２に設けた対応する螺子山２ａが前記アンダーカット３ｂに係合するよう構成する。【選択図】  図２
2004147884.tif 000002
【特許請求の範囲】
【請求項１】
先端側に骨埋入用の螺子部を、後端側に脊椎骨矯正ロッドを保持するための相対する一対のロッド挟持片を、それぞれ設けてなる保持具本体の前記一対のロッド挟持片間に止め螺子を設置し、該止め螺子を締め付けることにより前記一対のロッド挟持片間に挿入した、前記脊椎骨矯正ロッドを保持する脊椎骨矯正ロッド保持具であって、前記止め螺子の螺子山の根元部分にアンダーカットを形成するとともに、前記ロッド挟持片に設けた対応する螺子山が前記アンダーカットに係合することを特徴とする脊椎骨矯正ロッド保持具。
【発明の詳細な説明】
【０００１】
【発明の属する技術分野】
本発明は、ロッドを用いた脊椎骨矯正術に用いる脊椎骨矯正ロッド保持具に関するものである。
【０００２】
【従来の技術】
脊椎骨矯正術として、ロッドを用いた術式がある。
【０００３】
この術式は、先端側に脊椎骨に埋設させるための螺子部と後端側に脊椎矯正ロッドを保持するための構造を設けた保持具を用いるものであって、矯正が必要な脊椎骨部分とそこに螺合した前記保持具を所望形状に形成したロッドを保持できるところまで動かし、その状態で、前記保持具とロッドを結合させることで脊椎骨の矯正を行うものである。
【０００４】
このような保持具として、脊椎骨に螺入する螺子部の後端側に脊椎骨矯正ロッドを保持するための相対する一対のロッド挟持片を設け、前記ロッド挟持片に螺合する止め螺子を締め付けることにより前記ロッド挟持片の間に挿入した前記脊椎骨矯正ロッドを保持する脊椎骨矯正ロッド保持具が用いられてきた。
【０００５】
【特許文献１】
特開平５−１４６４５１号公報
【０００６】
【発明が解決しようとする課題】
しかしながら、前記従来技術は、止め螺子を締め付けるときのロッドからの反発力により止め螺子が浮き上がろうとする。これにより、ロッド挟持片が外側に拡げられ、止め螺子が浮き上がる分、脊椎骨矯正ロッドを保持する力が弱いという問題があった。
【０００７】
かかる従来技術の課題に鑑み、本発明は、ロッド挟持片が外側に拡がることを防止し、脊椎骨矯正ロッドを保持する保持力を高めることを目的とする。
【０００８】
【課題を解決するための手段】
上記課題を解決するため請求項１の脊椎骨矯正ロッド保持具は、先端側に骨埋入用の螺子部を、後端側に脊椎骨矯正ロッドを保持するための相対する一対のロッド挟持片を、それぞれ設けてなる保持具本体の前記一対のロッド挟持片間に止め螺子を設置し、該止め螺子を締め付けることにより前記一対のロッド挟持片間に挿入した、前記脊椎骨矯正ロッドを保持する脊椎骨矯正ロッド保持具であって、前記止め螺子の螺子山の根元部分にアンダーカットを形成するとともに、前記ロッド挟持片に設けた対応する螺子山が前記アンダーカットに係合することを特徴とする。
【０００９】
かかる構成によれば、前記止め螺子の螺子山の根元部分にアンダーカットを形成するとともに、前記ロッド挟持片に設けた対応する螺子山が前記アンダーカットに係合することから、前記止め螺子の螺子山に形成したアンダーカットが、挟持片の外側への開きに対するストッパーとして作用する。
【００１０】
【発明の実施の形態】
以下、本発明の実施形態を図によって説明する。
【００１１】
図１は本発明の脊椎骨固定ロッド保持具の斜視図、図２は図１の脊椎固定ロッド保持具を構成する止め螺子の螺子山とロッド挟持片に設けた対応する螺子山の形状を示す断面図である。
【００１２】
これら図中、Ｒは脊椎骨矯正ロッド、１は螺子部、２はロッド挟持片、３は止め螺子を示す。
【００１３】
脊椎骨矯正ロッド保持具は、保持具本体の先端側に骨埋設用の螺子部１を、後端側に脊椎骨矯正ロッドＲを保持するための前記相対する一対のロッド挟持片２を、それぞれ設けるとともに、相対する一対のロッド挟持片２間に止め螺子３を設け、これを締め付けることにより前記一対のロッド挟持片２間に挿入した前記脊椎骨矯正ロッドＲを保持するものである。
【００１４】
図２の断面図は、前記止め螺子３の螺子山３ａとロッド挟持片２の螺子山２ａの組み合わせを例示し、図２に示すように止め螺子３の螺子山３ａは根元部分にアンダーカット３ｂを備え、該アンダーカット３ｂに前記ロッド挟持片２に設けた対応する螺子山２ａが係合することから、前記止め螺子３の螺子山３ａに形成したアンダーカット３ｂが、前記ロッド挟持片２の外側（図中右側）への開きに対するストッパーとして作用する。
【００１５】
このように前記脊椎骨固定ロッド保持具によれば、前記ロッド挟持片２が止め螺子３を締め付けるときのロッドＲからの反発力により止め螺子３が浮き上がろうとするが、前記螺子山形状のストッパー作用により、ロッド挟持片２が外側に拡げられたり、止め螺子３が浮き上がることが抑止される。したがって、脊椎骨矯正ロッドＲを保持する保持力を高めることができる。
【００１６】
図２（ｂ）の形態によれば、前記アンダーカット３ｂにテーパー面を備える。このテーパー面は、止め螺子３を締め付けるときのロッドＲからの反発力により止め螺子３が浮き上がろうとする際、ロッド挟持片２の螺子山３ａに対し内方（図中左側）への荷重を与える。これにより、ロッド挟持片２が内側に絞られるのでロッドＲをより安定的に保持することができる。
【００１７】
また図２（ｃ）の形態によれば、前記アンダーカット３ｂに球面を備える。この球面は、図２（ｂ）の形態と同様に、止め螺子３を締め付けるときのロッドＲからの反発力により止め螺子３が浮き上がろうとする際、ロッド挟持片２の螺子山２ａに対し内方への荷重を与えて、ロッド挟持片２を内側に絞ることからロッドＲをより安定的に保持することができ、さらに、止め螺子３の螺子山３ａにおいて角部を少なくできるので、螺子山３ａの強度を高めることができる。
【００１８】
以上、本発明の実施形態を例示したが、本発明は前記実施形態に限定されるものではなく、発明の目的を逸脱しない限り任意のものとすることができることは云うまでもない。
【００１９】
【発明の効果】
以上のように、請求項１の脊椎骨矯正ロッド保持具は、先端側に骨埋入用の螺子部を、後端側に脊椎骨矯正ロッドを保持するための相対する一対のロッド挟持片を、それぞれ設けてなる保持具本体の前記一対のロッド挟持片間に止め螺子を設置し、該止め螺子を締め付けることにより前記一対のロッド挟持片間に挿入した、前記脊椎骨矯正ロッドを保持する脊椎骨矯正ロッド保持具であって、前記止め螺子の螺子山の根元部分にアンダーカットを形成するとともに、前記ロッド挟持片に設けた対応する螺子山が前記アンダーカットに係合すること、前記止め螺子の螺子山に形成したアンダーカットが、挟持片の外側への開きに対するストッパーとして作用する。
【００２０】
したがって、前記ロッド挟持片が止め螺子を締め付けるときのロッドＲからの反発力により止め螺子が浮き上がろうとするが、前記螺子山形状のストッパー作用により、ロッド挟持片が外側に拡げられ、止め螺子が浮き上がることが抑止されるので、脊椎骨矯正ロッドＲを保持する保持力を高めることができる。
【図面の簡単な説明】
【図１】本発明の脊椎固定ロッド保持具の斜視図である。
【図２】（ａ）〜（ｃ）は図１の脊椎固定ロッド保持具を構成する止め螺子の螺子山とロッド挟持片に設けた対応する螺子山の形状を示す断面図である。
【符号の説明】
１：螺子部
２：ロッド挟持片
２ａ：螺子山
３：止め螺子
３ａ：螺子山
３ｂ：アンダーカット
Ｒ：脊椎固定ロッド
【図１】
2004147884.tif 000003
【図２】
2004147884.tif 000004